(57)【要約】【課題】本発明はＩＣカード等の可搬型記憶媒体を使用した印刷システムに関し、特に印刷物のセキュリティを確保すると共に、大量の印刷処理を効率よく短時間で行う印刷システムを提供するものである。【解決手段】本発明はネットワークに接続されたホスト機器から印刷データを読み出し、印刷装置に転送し、印刷出力を行う印刷システムであり、印刷装置にＩＣカードを近づけ、ＩＣカードに記憶されたユーザＩＤや文書ファイル名の情報、ホスト機器のアドレス情報等を読み出し、対応するホスト機器に通知することによって必要な印刷情報を取得し、印刷装置によって印刷処理を行う構成であり、特に複数の印刷装置によって印刷処理を行わせ、大量の印刷処理を効率よく短時間で行う印刷システムを提供するものである。【選択図】  図１
2008040719.tif 000002
【特許請求の範囲】
【請求項１】
ネットワークに接続され、文書ファイルを記憶するホスト機器と、該ホスト機器から出力される印刷データに基づいて印刷処理を行う第１、第２の印刷装置とを有する印刷システムにおいて、
前記ホスト機器は、
可搬型記憶媒体との間で情報の授受を行うインターフェイスと、
該インターフェイスを介して前記可搬型記憶媒体からユーザの識別情報を読み出すと共に、前記文書ファイルを検索し、印刷文書情報テーブルを作成するテーブル作成手段と、  該印刷文書情報テーブルの情報を前記可搬型記憶媒体に送信する送信手段と、
前記可搬型記憶媒体からの情報に基づいて作成された印刷通知メッセージを前記第１の印刷装置から受信し、該印刷通知メッセージに従って対応する文書ファイルのデータを前記第１の印刷装置に出力する出力手段と、
前記可搬型記憶媒体からの情報に基づいて作成された印刷通知メッセージを前記第２の印刷装置から受信すると、前記文書ファイルのデータを均等に振り分け、前記第１の印刷装置及び第２の印刷装置に分割して出力する分割出力手段と、
を有することを特徴とする印刷システム。
【請求項２】
ネットワークに接続され、文書ファイルを記憶するホスト機器と、該ホスト機器から出力される印刷データに基づいて印刷処理を行う第１、第２の印刷装置とを有する印刷システムにおいて、
前記第１の印刷装置は、
前記ホスト機器から供給された印刷文書情報テーブルの情報を前記可搬型記憶媒体から受信する受信手段と、
該受信データに従って、印刷通知メッセージを作成するメッセージ作成手段と、
該印刷通知メッセージに基づいて前記ホスト機器から出力された文書ファイルに従って印刷処理を行う印刷処理手段とを有し、
前記第２の印刷装置は、
前記ホスト機器から供給された印刷文書情報テーブルの情報を前記可搬型記憶媒体から受信する受信手段と、
該受信データに従って、印刷通知メッセージを作成するメッセージ作成手段と、
該印刷通知メッセージに基づいて前記文書ファイルのデータが分割された文書ファイルに従って印刷処理を行う印刷処理手段とを有することを特徴とする印刷システム。
【請求項３】
ホスト機器と、第１の印刷装置と、可搬型記憶媒体に記憶された識別情報に基づいて前記ホスト機器から出力された印刷データを記憶する第２の印刷装置とを有し、前記第１の印刷装置は、可搬型記憶媒体に記憶された情報を読み出す情報読出手段と、該読み出した情報に基づいて印刷データを記憶する第２の印刷装置に印刷データの送信指示を行う指示手段と、該指示に従って読み出された印刷データの印刷処理を行う印刷処理手段とを有する印刷システムにおいて、
前記第１の印刷装置は、前記情報読出手段により前記可搬型記憶媒体から前記識別情報を読み出し、前記指示手段によって前記第２の印刷装置に印刷データの送信指示を行い  、該指示に従って読み出された印刷データに未処理の印刷データが存在し、かつ前記第２の印刷装置による印刷処理が行われている時、前記未処理の印刷データを均等に振り分け、前記第１の印刷装置及び第２の印刷装置は振り分けられた印刷データの印刷処理を行うことを特徴とする印刷システム。
【請求項４】
ホスト機器と、第１の印刷装置と、可搬型記憶媒体に記憶された識別情報に基づいて前記ホスト機器から出力された印刷データを記憶する第２の印刷装置とを有し、前記第２の印刷装置は、可搬型記憶媒体に記憶された情報を読み出す情報読出手段と、該読み出した情報に基づいて、記憶する印刷データを読み出し、印刷処理を行う印刷処理手段とを有する印刷システムにおいて、
前記第２の印刷装置は、前記情報読出手段により前記可搬型記憶媒体から前記識別情報を読み出し、読み出した印刷データに未処理の印刷データが存在し、かつ前記第１の印刷装置による印刷処理が行われている時、前記未処理の印刷データを均等に振り分け、前記第１の印刷装置及び第２の印刷装置は振り分けられた印刷データの印刷処理を行うことを特徴とする印刷システム。
【請求項５】
前記第１、及び第２の印刷装置は、多機能印刷装置であることを特徴とする請求項１、２、３、又は４記載の印刷システム。
【発明の詳細な説明】
【技術分野】
【０００１】
本発明はネットワークに接続された印刷装置を含み、ＩＣカード等の可搬型記憶媒体を使用した印刷システムに関する。
【背景技術】
【０００２】
最近のオフィス環境では、コンピュータネットワークを構築し、印刷装置をネットワークに接続して使用する方法が一般的となり、以前のようにパーソナルコンピュータ（ＰＣ）と印刷装置をローカル接続して使用することが少なくなっている。この為、印刷装置が離れた場所にあることが多く、秘匿性のある文書の秘密を充分確保できず、印刷処理の際、個人を特定する認証を行う場合が多い。このような発明として、以下の特許文献１、及び特許文献２がある。
【０００３】
特許文献１は、認証コードの入力を簡単に行う出力装置の発明であり、ホストコンピュータからは印刷する情報と共に、認証コードを付帯させてプリンタ装置に送信を行い、プリンタ装置は装着されたＩＣカードに記憶された認証コードと、送信された認証コードの照合を行い、一致を確認して印刷処理を行う構成である。
【０００４】
また、特許文献２はＩＤカードに予め印刷を許可する印刷装置のＩＤを登録しておき、印刷データ毎にＩＤ登録されている印刷装置にアクセスを行い、印刷処理を行う構成である。
【特許文献１】特開平１１−３０５９６８号公報
【特許文献２】特開２００５−８１７６３号公報
【発明の開示】
【発明が解決しようとする課題】
【０００５】
しかしながら、上記従来の印刷方法においては、同一の印刷物を多量に印刷する場合、１台の印刷装置で印刷処理を行うと長時間を要する。一方、オフィス環境では、ネットワーク接続された印刷装置が複数台設置されていることが通例であり、全ての印刷装置が常時印刷処理を実行していることは希である。しかし、前述のような複数部数又は複数種類の印刷を行う際には、１台の印刷装置のみ使用され、他の印刷装置は多くの空き時間が存在し、非効率であった。
【０００６】
そこで、本発明は印刷物のセキュリティを確保すると共に、大量の印刷処理を効率よく短時間で行う印刷システムを提供するものである。
【課題を解決するための手段】
【０００７】
上記課題は本発明によれば、ネットワークに接続され、文書ファイルを記憶するホスト機器と、該ホスト機器から出力される印刷データに基づいて印刷処理を行う第１、第２の印刷装置とを有する印刷システムにおいて、前記ホスト機器は、可搬型記憶媒体との間で情報の授受を行うインターフェイスと、該インターフェイスを介して前記可搬型記憶媒体からユーザの識別情報を読み出すと共に、前記文書ファイルを検索し、印刷文書情報テーブルを作成するテーブル作成手段と、該印刷文書情報テーブルの情報を前記可搬型記憶媒体に送信する送信手段と、前記可搬型記憶媒体からの情報に基づいて作成された印刷通知メッセージを前記第１の印刷装置から受信し、該印刷通知メッセージに従って対応する文書ファイルのデータを前記第１の印刷装置に出力する出力手段と、前記可搬型記憶媒体からの情報に基づいて作成された印刷通知メッセージを前記第２の印刷装置から受信すると、前記文書ファイルのデータを均等に振り分け、前記第１の印刷装置及び第２の印刷装置に分割して出力する分割出力手段とを有する印刷システムを提供することによって達成できる。
【０００８】
このように構成することにより、第１、第２の印刷装置によって複数部の文書ファイルの印刷処理を効率よく短時間で処理することができる。
また、上記課題は本発明によれば、ネットワークに接続され、文書ファイルを記憶するホスト機器と、該ホスト機器から出力される印刷データに基づいて印刷処理を行う第１、第２の印刷装置とを有する印刷システムにおいて、前記第１の印刷装置は、前記ホスト機器から供給された印刷文書情報テーブルの情報を前記可搬型記憶媒体から受信する受信手段と、該受信データに従って、印刷通知メッセージを作成するメッセージ作成手段と、該印刷通知メッセージに基づいて前記ホスト機器から出力された文書ファイルに従って印刷処理を行う印刷処理手段とを有し、前記第２の印刷装置は、前記ホスト機器から供給された印刷文書情報テーブルの情報を前記可搬型記憶媒体から受信する受信手段と、該受信データに従って、印刷通知メッセージを作成するメッセージ作成手段と、該印刷通知メッセージに基づいて前記文書ファイルのデータが分割された文書ファイルに従って印刷処理を行う印刷処理手段とを有する印刷システムを提供することによって達成できる。
【０００９】
このように構成することによっても、第１、第２の印刷装置によって複数部の文書ファイルの印刷処理を効率よく短時間で処理することができる。
さらに、上記課題は本発明によれば、ホスト機器と、第１の印刷装置と、可搬型記憶媒体に記憶された識別情報に基づいて前記ホスト機器から出力された印刷データを記憶する第２の印刷装置とを有し、前記第１の印刷装置は、可搬型記憶媒体に記憶された情報を読み出す情報読出手段と、該読み出した情報に基づいて印刷データを記憶する第２の印刷装置に印刷データの送信指示を行う指示手段と、該指示に従って読み出された印刷データの印刷処理を行う印刷処理手段とを有する印刷システムにおいて、前記第１の印刷装置は、前記情報読出手段により前記可搬型記憶媒体から前記識別情報を読み出し、前記指示手段によって前記第２の印刷装置に印刷データの送信指示を行い、該指示に従って読み出された印刷データに未処理の印刷データが存在し、かつ前記第２の印刷装置による印刷処理が行われている時、前記未処理の印刷データを均等に振り分け、前記第１の印刷装置及び第２の印刷装置は振り分けられた印刷データの印刷処理を行う印刷システムを提供することによって達成できる。
【００１０】
このように構成することにより、ホスト機器側の記憶装置の記憶容量の軽減を図り、更に第１、第２の印刷装置間での分散印刷を行うことができる。
また、上記課題は本発明によれば、ホスト機器と、第１の印刷装置と、可搬型記憶媒体に記憶された識別情報に基づいて前記ホスト機器から出力された印刷データを記憶する第２の印刷装置とを有し、前記第２の印刷装置は、可搬型記憶媒体に記憶された情報を読み出す情報読出手段と、該読み出した情報に基づいて、記憶する印刷データを読み出し、印刷処理を行う印刷処理手段とを有する印刷システムにおいて、前記第２の印刷装置は、前記情報読出手段により前記可搬型記憶媒体から前記識別情報を読み出し、読み出した印刷データに未処理の印刷データが存在し、かつ前記第１の印刷装置による印刷処理が行われている時、前記未処理の印刷データを均等に振り分け、前記第１の印刷装置及び第２の印刷装置は振り分けられた印刷データの印刷処理を行うことを特徴とする印刷システムを提供することによって達成できる。
【００１１】
このように構成することにより、ホスト機器側の記憶装置の記憶容量の軽減を図り、更に第１、第２の印刷装置間での分散印刷を行うことができる。
【発明の効果】
【００１２】
本発明によれば、第１、第２の印刷装置によって複数部の文書ファイルの印刷処理を効率よく短時間で処理することができる。
また、ホスト機器側の記憶容量の軽減を図り、更に第１、第２の印刷装置間での分散印刷を行うことができ、多量の印刷処理を効率よく実行することができる。
【発明を実施するための最良の形態】
【００１３】
以下、本発明の実施の形態を図面を参照しながら説明する。
図２は、本実施形態における印刷システムのシステム構成図である。同図において、ＬＡＮ等のネットワーク１に、パーソナルコンピュータ（ＰＣ）等で構成されるホスト機器２、プリンタ装置３〜５が接続されている。ホスト機器２には、文書ファイルや印刷文書情報テーブルファイルが登録されており、ＩＣカードリーダ／ライタ（以下、ＩＣカードＲ／Ｗで示す）２ａを介してＩＣカード６との間でデータの授受を行う。また、プリンタ装置３〜５は、それぞれ印刷データを記憶しており、対応するＩＣカードＲ／Ｗ３ａ〜５ａを介してＩＣカード６との間でデータの授受を行う。
【００１４】
図３は上記ホスト機器２の内部構成を説明する回路ブロック図である。ホスト機器２はＣＰＵ８、ＲＡＭ９、ＲＯＭ１０、補助記憶装置１１、時計回路１２、ＩＣカードＲ／Ｗインターフェイス（以下、ＩＣカードＲ／Ｗ  Ｉ／Ｆで示す）１３、通信インターフェイス（以下、通信Ｉ／Ｆで示す）１４で構成されている。ＲＯＭ１０は本例のホスト機器２の制御プログラムを記憶すると共に、印刷文書登録プログラムを記憶し、後述する処理を行う。
【００１５】
また、補助記憶装置１１にはアプリケーションプログラムに従って作成された文書ファイル（印刷データ）、及び印刷文書情報テーブルファイルが登録され、文書ファイルは後述する処理に従ってプリンタ装置３〜５に出力される。
【００１６】
ＩＣカードＲ／Ｗ  Ｉ／Ｆ１３は、ＩＣカード６とのデータの授受を行う際のインターフェイスである。また、通信Ｉ／Ｆ１４は、ネットワーク１を介してプリンタ装置３〜５との間でデータの授受を行うインターフェイスである。
【００１７】
一方、図４はプリンタ装置３〜５の構成を説明する図であり、特に本例ではプリンタ装置として、複合機（ＭＦＰ（多機能印刷装置・マルチファンクションプリンタ））を使用する実施形態である。
【００１８】
同図において、印刷装置（ＭＦＰ）３（又は４、又は５）の上部正面には表示操作部（オペレーションパネル）１５が位置し、印刷枚数の設定や濃度設定、サイズ設定等の各種設定指示や、後述する文書ファイル名の指定が行われる。また、印刷装置３の前面下部には複数段の給紙カセット１６が設けられ、対応する取手を持って給紙カセット１６を手前に引き出すことができる。また、印刷装置３には排紙部１７も設けられ、給紙カセット１６から給紙され、画像形成が行われた用紙（記録媒体）は排紙部１７に出力される。
【００１９】
図１は上記外観構成の印刷装置（ＭＦＰ）３の内部構成を説明する図である。同図において、印刷装置３はスキャナ部２０、ＭＦＰ制御部２１、プリンタ部２２で構成されている。スキャナ部２０は読取機構部２０ａを有し、読取機構部２０ａの駆動により原稿台に載置された原稿画像が読み取られ、ＭＦＰ制御部２１に読み取り画像データが送信される。
【００２０】
ＭＦＰ制御部２１は、ＭＦＰメイン部２３、読取機構制御部２４、表示操作制御部２５、ＦＡＸ通信制御部２６、ＬＡＮ通信制御部２７、ＩＣカードＲ／Ｗ  Ｉ／Ｆ２８、記憶装置制御部２９、及び記憶装置部（ＨＤＤ）３０で構成されている。読取機構制御部２４は前述のスキャナ部２０に設けられた読取機構部２０ａの機構制御を行い、スキャナ部２０で読み取られた画像データはＭＦＰ制御部２１に送られる。
【００２１】
表示操作制御部２５は、前述の表示操作部１５に設けられたキー等の操作に基づく操作信号をＭＦＰメイン部２３に出力する。また、ＭＦＰメイン部２３から出力される表示データを表示操作部１５に表示する。さらに、記憶装置制御部２９は、記憶装置部（ＨＤＤ）３０へのデータ書き込み、及び記憶装置部（ＨＤＤ）３０に記憶されたデータの読み出し制御を行う。ここで、記憶装置部（ＨＤＤ）３０には、例えば印刷プログラムや、ＩＣカード受信プログラムが記憶されている。
【００２２】
また、ＬＡＮ通信制御部２７は、本例で使用する印刷装置３をネットワーク１に接続する為のインターフェイスであり、ＦＡＸ通信制御部２６は、公衆回線網を介してファクシミリデータの授受の制御を行う。
【００２３】
また、ＩＣカードＲ／Ｗ  Ｉ／Ｆ２８は、前述のＩＣカードＲ/Ｗ３ａ（又は４ａ、又は５ａ）に接続され、ＩＣカード６に記憶されたデータが読み出され、またＩＣカード６に印刷文書情報テーブルファイル等の情報を書き込む。尚、ＭＦＰメイン部２３はＩＣカードＲ／Ｗ  Ｉ／Ｆ２８の制御も行う。
【００２４】
一方、プリンタ部２２はプリンタ制御部３１、及び印刷機構部３２で構成され、プリンタ制御部３１の制御に基づいて印刷処理を行う。尚、印刷機構部３２は印字ヘッドの他、画像形成部や現像部、転写部等の機構部で構成されている。
【００２５】
以上の構成において、以下に本例の処理動作について説明する。尚、本例の処理において、ホスト機器２には予め印刷データが登録されているものとする。
図５は本例の処理動作を説明するフローチャートである。先ず、ホスト機器２のディスプレイに印刷文書登録画面の表示を行う（ステップ（以下、Ｓで示す）１）。図６（ａ）は、この印刷文書登録画面の一例を示す。
【００２６】
次に、事象入力を待ち（Ｓ２）、事象入力があると（Ｓ３）、指示された処理に移行する。例えば、文書ファイル登録の場合、該当する文書ファイル名を画面に表示する（Ｓ４）。図６（ｂ）及び（ｃ）は、上記文書ファイルの登録例を示し、同図（ｂ）に示す表示画面から、同図（ｃ）に示す文書ファイル名の選択画面を表示する。尚、図７は上記登録画面におけるメニュー処理を説明するフローチャートであり、ファイル選択画面を表示し（Ｓ７−１）、ファイル選択があると、選択された文書ファイル名を画面に表示する（Ｓ７−２、Ｓ７−３）。
【００２７】
一方、ＩＣカード６からデータを受信した場合、ＩＣカード受信処理に移行する（Ｓ５）。さらに、印刷装置３からの通知の場合、印刷通知受信処理に移行する（Ｓ６）。以下、具体的な処理について以下に説明する。
【００２８】
先ず、上記事象の中のＩＣカード受信処理について説明する。図８はＩＣカード受信処理を説明するフローチャートである。先ず、ユーザがＩＣカード６をＩＣカードＲ/Ｗ２ａに近づけると、ＩＣカードＲ/Ｗ２ａはＩＣカード６からＵＩＤ（Unique Identifier（固有識別子））を読み出す（Ｓ５−１）。この情報は、ＩＣカードＲ/Ｗ  Ｉ／Ｆ１３を介してＣＰＵ８に通知され、ＣＰＵ８はＲＯＭ１０に記憶された印刷文書登録プログラムを読み出し、印刷文書情報テーブルファイルを作成する（Ｓ５−２）。
【００２９】
ここで用いられている、ＩＣカード６は、例えば、ＲＦＩＤ（Radio Frequency IDentification）タグが埋め込まれた非接触型のＩＣカードで、カードに埋め込まれたＩＣタグには、タグメーカによって製造時にカードの固有識別情報としての前記ＵＩＤが書き込まれている。
【００３０】
図９は、この印刷文書情報テーブルファイルの例を示す図である。この印刷文書情報テーブルファイルは、ＩＣカードＲ/Ｗ２ａによって読み取ったＩＣカード６のＵＩＤに基づいて検索した結果得られた情報であり、同図に示すように、文書ファイル名、ホストコンピュータのアドレス、処理状態、及び印刷部数の通し番号を記録したファイルである。尚、文書ファイル名は当該ＵＩＤのユーザが予め登録した文書ファイルの名称であり、ホストコンピュータのアドレスは当該処理を行っているホスト機器のアドレスを示す。また、処理状態は、既に印刷処理が完了しているか否かの情報であり、未印刷は未だ印刷処理が完了していないことを示す。さらに、印刷部数の通し番号は、当該文書ファイルを印刷した部数の通し番号を示す。
【００３１】
次に、上記印刷文書情報テーブルファイルの未印刷の文書ファイル名の情報をＩＣカード６に書き込む（Ｓ５−３）。すなわち、ＩＣカードＲ/Ｗ２ａによって未印刷の文書ファイル名の情報をＩＣカードＲ/Ｗ２ａに出力し、ＩＣカード６に当該情報を書き込む。
【００３２】
このようにしてＩＣカード６に上記情報が書き込まれた後、ユーザは未印刷の文書ファイルの印刷処理を行う為、例えば印刷装置３、又は４、又は５に向かう。そして、印刷装置（例えば印刷装置３）に接続されたＩＣカードＲ/Ｗ３ａにＩＣカード６を近づける。
【００３３】
以後、図１０に示すフローチャートに従った処理が行われる。すなわち、印刷装置３は受信待ち状態から（ステップ（以下、ＳＴで示す）１）、ＩＣカード６がＩＣカードＲ/Ｗ３ａに近づくと、ＩＣカード６から印刷文書情報テーブルを読み込む（ＳＴ２）。
【００３４】
次に、印刷装置３は上記情報を読み込むと、印刷要求メッセージを作成し、ホスト機器２に送信する（ＳＴ３）。図１１は、印刷要求メッセージの構成例を示す。印刷要求メッセージは、ＵＩＤと印刷文書数、及び文書ファイル情報で構成され、文書ファイル情報は文書ファイル名、印刷部数、及び印刷装置（ＭＦＰ）のアドレス情報で構成されている。また、上記文書ファイル情報は、印刷が必要な文書ファイルの数だけ記録されている。
【００３５】
次に、ホスト機器２は上記印刷要求メッセージを印刷装置３から受信すると、以後図１２に示すフローチャートに従って処理を行う。先ず、受信した印刷要求メッセージをＣＰＵ８に読み出し（ＳＴ３−１）、印刷要求メッセージ内に未印刷文書が存在するか判断し（ＳＴ３−２）、メッセージ内のＵＩＤの照合を行う（ＳＴ３−３）。ここで、未印刷文書が存在しなければ、印刷応答メッセージ（未印刷文書無し）を印刷装置３に送信する（ＳＴ３−２がＮО、ＳＴ３−４）。また、ＵＩＤが一致していなければ、印刷応答メッセージ（ＵＩＤ不一致）を印刷装置３に送信する（ＳＴ３−３がＮО、ＳＴ３−４）。
【００３６】
一方、上記判断（ＳＴ３−２及びＳＴ３−３）がＹＥＳであれば、印刷文書情報デーブルより未印刷のデータを収集する（ＳＴ３−５）。その後、再度未印刷データ有りの判断を行った後（ＳＴ３−６）、未印刷データの出力先ポートの再設定処理を行う。尚、上記処理は、ＩＣカード６を印刷装置３に翳した場合だけでなく、ＩＣカード６を印刷装置４、又は５に翳し、印刷装置４又は５から印刷要求メッセージをホスト機器２に出力した場合も同様である。
【００３７】
次に、出力先ポートの再設定処理は、先ず未印刷データの出力先ポートが他の印刷装置に設定済みであるか判断し（ＳＴ３−７）、設定済みであれば、設定されている出力先の印刷残りページ数が均等になるように出力先ポートの調整を行う（ＳＴ３−８）。例えば、残りＪＯＢ数等を考慮して判断し、出力先の変更が必要な場合には未印刷データの出力先ポートを印刷要求メッセージの送信元の印刷装置に変更する（ＳＴ３−９、ＳＴ３−１０）。
【００３８】
例えば、前述の図９に示す例の場合、文書ファイル名「１月人事速報.doc」のファイルを印刷部数「４」必要としており、現在印刷部数通し番号「１」のみ印刷済みである。したがって、未だ印刷部数通し番号「２」、「３」、「４」は未印刷状態である。この場合、本例では上記のように残りページ数が均等になるように出力先ポートの調整を行う。例えば、印刷部数通し番号「２」はそのまま印刷装置３によって印刷処理を行わせ、残りの印刷部数通し番号「３」、「４」については他の印刷装置４又は５によって印刷処理を行うように調整する。
【００３９】
次に、未印刷データ分の出力先ポート再設定処理が終了すると、出力先ポートの変更／新規割り当てがある場合（ＳＴ３−１１）、印刷装置４又は５に未印刷文書有りの印刷応答メッセージを送信する（ＳＴ３−１２）。但し、上記処理は印刷装置４、又は５にＩＣカード６が翳され、印刷装置４又は５からの印刷要求メッセージを受信した場合の処理である。したがって、例えば印刷装置３からの印刷要求メッセージの場合には、判断（ＳＴ３−７）がＮОであり、出力先ポートの変更／新規割り当て処理は行わない。
【００４０】
次に、上記印刷応答メッセージが印刷装置３、又は４、又は５に送信されると、前述の図１０に示す処理に戻り、印刷装置はホスト機器２から送信された印刷応答メッセージを受信し（ＳＴ４）、応答メッセージから未印刷文書があるか判断する（ＳＴ５）。ここで、未印刷文書有りの応答がなされた場合（ＳＴ５がＹＥＳ）、印刷文書情報テーブルをＭＦＰ制御部２１内の不図示のＲＡＭに展開し、処理状態を「未処理」とする（ＳＴ６）。すなわち、前述の図９に示す処理状態を「未処理」とする。尚、ホスト機器２から未印刷文書有りの応答がない場合（ＳＴ５がＮО）、処理状態を印刷済みとする（ＳＴ７）。
【００４１】
次に、ＲＡＭ上に未処理の印刷文書がある場合（ＳＴ８がＹＥＳ）、ホスト機器２への印刷通知メッセージを１文書／１部数分作成し、印刷通知メッセージをホスト機器２に送信する（ＳＴ９、ＳＴ１０）。したがって、印刷通知メッセージには、前述の図１１に示す一の文書ファイル情報が含まれ、ホスト機器２に送信される。
【００４２】
ホスト機器２は、上記印刷通知メッセージを受信すると、図１３に示すフローチャートに従って当該印刷通知メッセージをＣＰＵ８に読み出し（ＳＴ１０−１）、印刷要求メッセージの未印刷文書の存在を確認し（ＳＴ１０−２）、ＵＩＤの照合を行う（ＳＴ１０−３）。尚、未印刷文書が存在しない場合、又はＵＩＤが一致しない場合、最初の処理に戻す（ＳＴ１０−２がＮО、ＳＴ１０−３がＮО）。
【００４３】
次に、上記判断（ＳＴ１０−２、及びＳＴ１０−３）がＹＥＳであれば、印刷文書情報テーブルより「未印刷」の印刷データを収集し（ＳＴ１０−４）、未印刷データ有りの判断を行い（ＳＴ１０−５）、未印刷データの出力先ポートの一致を判断する（Ｓ１０−６）。そして、未印刷データの出力先ポートが一致する場合、該当情報内の文書ファイル名に関連付けられているアプリケーションを印刷指示によって起動する（ＳＴ１０−７）。
【００４４】
その後、印刷文書情報テーブルファイル上の処理状態を「印刷済み」に変更し、印刷済み文書ファイル名を登録画面上から消すために、登録画面の更新処理を行い（ＳＴ１０−８）、印刷データの出力先ポートを元に戻す（ＳＴ１０−９）。
【００４５】
印刷装置側では、印刷指示メッセージをホスト機器２側より受信すると（図１０の処理（ＳＴ１１））、印刷許可を判断し（ＳＴ１２）、印刷処理を実行する（ＳＴ１３）。そして、ＲＡＭ上の印刷文書情報テーブルの該当文書／部数の処理状況を「印刷済み」に変更する（ＳＴ１４）。
【００４６】
その後、上記処理を未処理印刷文書情報分繰り返し、未印字の文書ファイルの印刷処理を行う（ＳＴ８〜ＳＴ１４）。上記処理は印刷装置３、又は４、又は５において、ＩＣカード６を翳された印刷装置が行う処理であり、例えば最初印刷装置３にＩＣカード６を翳し、印刷装置３によって印刷処理を行っていたが、途中で印刷装置４、又は５にＩＣカード６を翳した場合、残り印刷部数が均等になるように調整されて印刷装置４、又は５が印刷処理を協働する。
【００４７】
前述の例では、文書ファイル名「１月人事速報.doc」の印刷部数通し番号「１」及び「２」を印刷装置３が行い、印刷部数通し番号「３」及び「４」を印刷装置４、又は５が行うことになる。
【００４８】
以上のように処理することによって、複数文書／複数部数の印刷文書／印刷データが存在した場合、複数の印刷装置３〜５を使用し、協働して印刷処理を行い印刷時間の短縮を図ることができる。
【００４９】
尚、上記説明では事前に登録された文書ファイルに対してホスト機器２が印刷の実行を行っているが、印刷を実行しスプールファイルの状態で印刷データの送信を止めておき、印刷装置３〜５から送信許可を受けた後、印刷データの送信を行う構成としてもよい。
【００５０】
（実施形態２）
次に、本発明の実施形態２について説明する。尚、本例においても、図２に示す印刷システムの基本構成は同じである。
【００５１】
図１４は本例で使用するホスト機器２の内部構成を説明する図である。ホスト機器２は前述と同様、ＣＰＵ８、ＲＡＭ９、補助記憶装置１１、時計回路１２、ＩＣカードＲ／Ｗ  Ｉ／Ｆ１３、通信Ｉ／Ｆ１４で構成され、更に本例においてＲＯＭ４０には印刷実行プログラムが登録されている。また、補助記憶装置１１には、例えばアプリケーションプログラムに従って作成した文書ファイル（印刷データ）が登録されている。
【００５２】
また、本例で使用する印刷装置３〜５の構成も前述の図１に示す構成であり、スキャナ部、ＭＦＰ制御部、プリンタ部、記憶装置部（ＨＤＤ）を有する。
次に、本例の処理動作を説明する。
【００５３】
先ず、図１５に示すフローチャートに従って、ホスト機器２に印刷実行画面の表示を行う（ステップ（以下、Ｗで示す）１）。次に、ＩＣカード受信処理を行う（Ｗ２）。この処理は、図１６に示すフローチャートに従って処理され、印刷実施者がＩＣカード６をホスト機器２に翳すと、ＩＣカードＲ／Ｗ２ａはＩＣカード６からＵＩＤを読み出し、例えば補助記憶装置１１にセットする（Ｗ２−１、Ｗ２−２）。
【００５４】
次に、ホスト機器２はＩＣカード６から取得したＵＩＤを付加した印刷データを生成し（Ｗ３）、例えば印刷装置３に送信する（Ｗ４）。
図１７は、印刷装置（例えば、印刷装置３）おける処理を説明するフローチャートである。
【００５５】
先ず、ホスト機器２から出力された印刷データを受信すると（Ｗ５）、データの受信処理が終了したか判断する（Ｗ６）。ここで、受信処理が終了していなければ（Ｗ６がＮО）、印刷ヘッダデータを受信中であるか判断する（Ｗ７）。
【００５６】
ここで、印刷ヘッダデータを受信中であれば（Ｗ７がＹＥＳ）、印刷文書の上方余白に印刷する、例えば日時データ等の情報を収集し、印刷データ情報テーブルに情報を追加する（Ｗ８）。その後、印刷ヘッダデータの受信を終了すると、印刷ヘッダデータの受信終了をセットする（Ｗ９、Ｗ１０）。
【００５７】
一方、ページデータ受信中であれば（Ｗ７がＮО、Ｗ１１がＹＥＳ）、ページデータの受信処理を行い、ページデータの受信処理が終了すると（Ｗ１２）、ページデータの受信終了をセットする（Ｗ１２´）。また、上記ページデータの受信処理の際、１ページ画像生成を開始し（Ｗ１３）、ページ画像情報をテーブルに追加する（Ｓ１４）。そして、１ページ画像生成処理が終了するまで画像生成処理を継続し（Ｗ１５、Ｗ１６）、１ページ画像生成が終了すると（Ｗ１５がＹＥＳ）、画像データを記憶装置部（ＨＤＤ）３０に記憶し、ページ画像データ保存情報をテーブルに追加する（Ｗ１７、Ｗ１８）。
【００５８】
また、上記判断（Ｗ１１）において、ページデータ受信中でなければ（Ｗ１１がＮО）、印刷フッタデータを受信中であるか判断する（Ｗ２０）。ここで、印刷フッタデータを受信中であれば、印刷文書の下方余白に印刷する、例えば日時データ等の情報を収集し、印刷データ情報テーブルに情報を追加する（Ｗ２１）。また、印刷フッタデータを受信終了であれば、印刷フッタデータの受信終了をセットする（Ｗ２２、Ｗ２３）。
【００５９】
その後、印刷ヘッダデータの受信開始（Ｗ２４）、印刷ヘッダデータの受信中セット（Ｗ２５）、ページデータの受信開始（Ｓ２６）、ページデータの受信中セット（Ｓ２７）、印刷フッタデータの受信開始（Ｗ２８）、印刷フッタデータの受信中セット（Ｗ２９）を繰り返し、全ての受信データの受信処理を終了すると（Ｗ６がＹＥＳ）、印刷データ情報テーブルへ情報を追加する。例えば、印刷割当先印刷装置アドレスをクリア、印刷データ取得先印刷装置アドレスへ自印刷装置アドレスをセット、処理状態へ未処理をセットし、記憶装置部（ＨＤＤ）３０に記憶する（Ｗ３０）。
【００６０】
上記処理によって記憶装置部（ＨＤＤ）３０に登録された印刷データ情報テーブルファイル例を図１８に示す。この印刷データ情報テーブルファイルには、文書ファイル名、印刷頁数、印刷部数の通し番号、印刷割当先/印刷出力先の印刷装置のアドレス、印刷データ取得先のアドレス、及び処理状態が登録されている。尚、処理状態は、例えば「０」が未処理を示し、「１」が処理依頼中を示し、「２」が未印刷を示し、「−１」が印刷済みを示す。また、本例においては、印刷装置３の記憶装置部（ＨＤＤ）３０に展開された印刷データを記憶するものとし、従って印刷データ取得先のアドレス（１９２．１６８．０．３３）は印刷装置３のアドレスである。
【００６１】
その後、印刷実施者は、印刷を希望する印刷装置３、又は４、又は５の設置場所に出向き、印刷装置に接続されているＩＣカードＲ／ＷにＩＣカード６を翳し、印刷開始の認証情報を供給する。
【００６２】
図１９はこの処理を説明するフローチャートである。
印刷装置３、又は４、又は５は、受信待ち状態であり（Ｕ３）、印刷実施者が印刷装置に出向きＩＣカード６を翳すと、対応するＩＣカードＲ／Ｗ  Ｉ／ＦはＵＩＤの情報を読み出す（Ｕ４）。
【００６３】
次に、印刷装置３は読み出したＵＩＤの情報に基づいて、印刷要求メッセージをネットワーク上の他の印刷装置に同報送信し（Ｕ５）、他の印刷装置からの印刷応答メッセージを一定時間待つ（Ｕ６）。尚、自己の印刷装置内の印刷データ情報テーブルファイルのＵＩＤ情報が一致し、かつ「未印刷」の印刷データ情報が存在する場合、印刷データ情報を読み出し、印刷応答メッセージを生成する（Ｕ７）。例えば、ＩＣカード６を翳した印刷装置が、印刷装置３であった場合である。
【００６４】
図２０は、印刷要求メッセージの構成を示す。印刷要求メッセージは、メッセージ送信元印刷装置アドレス、ＵＩＤ、印刷データ数、及び印刷データの文書ファイル名情報で構成され、印刷データの文書ファイル名情報は印刷データの頁数、印刷データの印刷部数通し番号、印刷データの出力先に割り当てられている印刷装置のアドレス、及び印刷データを記憶している印刷装置のアドレスで構成されている。また、上記印刷データの文書ファイル名情報は、印刷が必要な文書ファイル名の数だけ記録されている。
【００６５】
一方、図２１は上記印刷要求メッセージを受信した印刷装置の処理動作を説明するフローチャートである。印刷要求メッセージを受信した印刷装置では、印刷要求メッセージを読み出し（Ｕ８）、メッセージ内より取り出したＵＩＤ情報に基づいて印刷データ情報テーブルの検索を行う（Ｕ９）。そして、ＵＩＤ情報が一致する場合（Ｕ１０がＹＥＳ）、印刷データの取得先が自己の装置であるか判断し（Ｕ１０´）、更に印刷データが未印刷又は未処理であるか判断する（Ｕ１１）。
【００６６】
例えば、印刷要求メッセージを受信した印刷装置が、印刷装置４である場合、印刷データの取得先が自己の装置ではないので（Ｕ１０がＮО）、処理を終了する。一方、印刷要求メッセージを受信した印刷装置が、印刷装置３である場合、印刷データの取得先が自己の装置なので（Ｕ１０´がＹＥＳ）、処理を継続する。
【００６７】
また、印刷データが未印刷または未処理の印刷データであれば、印刷応答メッセージへ該当印刷データの情報を追加し（Ｕ１２）、印刷データ数を加算し（Ｕ１３）、印刷データ情報を処理依頼中へ変更する（Ｕ１４）。
【００６８】
次に、印刷データ情報テーブルの登録数分の処理が終了すると、印刷応答メッセージの送信が必要か否か判断する（Ｕ９がＹＥＳ、Ｕ１５）。そして、印刷応答メッセージの送信が必要な場合（Ｕ１５がＹＥＳ）、ヘッダ情報を付加し（Ｕ１６）、印刷応答メッセージを印刷要求メッセージの送信元へ送信する（Ｕ１７）。
【００６９】
例えば、印刷装置４、又は５にＩＣカード６が翳され、印刷装置４、又は５から印刷要求メッセージが印刷装置３に送信された場合、印刷装置３は印刷応答メッセージを印刷装置４、又は５に送信することになる。
【００７０】
次に、処理は図１９に示すフローチャートに戻り、印刷装置は他の印刷装置からの印刷応答メッセージを待ち、印刷応答メッセージ内に未処理／未印刷の印刷データがあるか判断を行う。そして、自己の装置内又は他の装置内に未処理／未印刷の印刷データが存在する場合（Ｕ１８がＹＥＳ）、これらの印刷頁数／印刷部数と印刷割当可能印刷装置数よりなるべく均等に印刷割当を行うべく印刷装置の再振り分けを行う（Ｕ１９）。
【００７１】
この振り分け処理は前述の実施形態１と同じように行い、例えば前述の図１８に示す例の場合、文書ファイル名「１月人事速報.doc」のファイルを印刷部数「３」必要としており、現在印刷部数通し番号「１」のみ印刷装置３（１９２．１６８．０．３３）で印刷処理済みであり、印刷部数通し番号「２」を同じ印刷装置３が印刷中である。したがって、未だ印刷部数通し番号「３」は未印刷状態である。この場合、本例では上記のように残りページ数が均等になるように出力先ポートの調整を行う。例えば、残りの印刷部数通し番号「３」については他の印刷装置４、又は５において印刷処理を行うように振り分ける。
【００７２】
次に、上記振り分け処理の結果に基づいて、印刷応答メッセージの送信元へ印刷通知メッセージを生成する（Ｕ２０）。この印刷通知メッセージは、印刷割当先を再振り分け後の印刷装置アドレスのセット、印刷データ取得先へ印刷応答メッセージ送信元印刷装置のアドレスのセット等であり、印刷装置に印刷通知メッセージを送信する（Ｕ２１、Ｕ２３）。尚、通知先が自己の印刷装置である場合には、印刷通知メッセージの送信は行わない（Ｕ２２）。
【００７３】
その後、印刷通知メッセージをもとに印刷データ情報テーブルを更新し、例えば処理状態を「未印刷」へ、印刷割当先を自印刷装置のアドレスへ、印刷データ取得先を自印刷装置のアドレスへ、印刷データ取得先を該当印刷装置のアドレスへ等の処理を印刷応答メッセージを受信した印刷装置分繰り返す（Ｕ２４）。また、印刷割当先が自印刷装置の印刷データがある場合は印刷通知受信処理を起動してＩＣカード情報受信待ちに戻る（Ｕ２５、Ｕ２６）。
【００７４】
図２２に示すフローチャートは、上記印刷通知メッセージを受信した場合の処理を説明するフローチャートである。
例えば、印刷装置４、又は５が上記印刷通知メッセージを受信すると、印刷通知メッセージを読み出し（Ｕ２７）、同メッセージ内より取り出した１印刷データ分の情報を元に印刷データ情報テーブルの情報を更新し（Ｕ２８、Ｕ２９）、印刷データ情報テーブルを未印刷へ更新する（Ｕ３０）。そして、上記処理を印刷通知メッセージ内の印刷データ数分繰り返した後、印刷データ印刷処理を起動して印刷処理を実行する（Ｕ３１）。
【００７５】
図２３は印刷装置内の印刷データ処理のフローチャートである。
先ず、印刷情報テーブルを読み出し（Ｕ３２）、印刷情報テーブルにエントリーされた印刷データ分の印刷処理を実行する（Ｕ３３）。この場合、先ず印刷処理の割り当て先が自己の装置であるか判断し（Ｕ３４）、自己の装置であれば印刷情報テーブルを印刷中に変更する（Ｕ３５）。
【００７６】
例えば、印刷装置４（１９２．１６８．０．３４）の場合、図１８に示す印刷データ情報テーブルを読み出し、印刷処理の割り当て先が自己の装置である文書ファイル名「１月人事速報.doc」の印刷部数通し番号「３」の未印刷状態を印刷中に変更する。また、印刷装置５（１９２．１６８．０．３５）の場合、図１８に示す印刷データ情報テーブルを読み出し、印刷処理の割り当て先が自己の装置である文書ファイル名「１月人事速報−２.doc」の印刷部数通し番号「１」の未印刷状態を印刷中に変更する。
【００７７】
次に、印刷データの所得先が自己の装置の場合（Ｕ３６がＹＥＳ）、例えば印刷装置３の場合、記憶装置部（ＨＤＤ）３０に記憶した印刷データを１頁単位で読み出し、印刷処理を実行する（Ｕ３７、Ｕ３８、Ｕ３９）。一方、印刷データの取得先が他の印刷装置の場合（Ｕ３６がＮО）、例えば印刷装置４、又は５の場合、印刷データの取得先へ印刷データ取得依頼メッセージの送信を行い（Ｕ４０）、その後印刷データ取得応答メッセージを受信し、１頁単位で印刷処理を行う（Ｕ４１）。
【００７８】
図２４は印刷データ取得依頼メッセージの構成例を示す。印刷データ取得依頼メッセージは、メッセージ送信元印刷装置アドレス、ＵＩＤ、依頼／応答区分、及び印刷データの文書ファイル名情報で構成され、印刷データの文書ファイル名情報は印刷データの頁数、印刷データの印刷部数通し番号、印刷データの出力先に割り当てられている印刷装置のアドレス、及び印刷データを記憶している印刷装置のアドレスで構成されている。また、上記印刷データの文書ファイル名情報は、印刷が必要な文書ファイル名の数だけ記録されている。
【００７９】
図２５は上記印刷データの取得依頼を受信した際の処理を説明するフローチャートである。先ず、印刷データ取得依頼メッセージの受信待ち（Ｕ４５）、当該メッセージを受信すると、印刷データ取得依頼メッセージの読み出しを行う（Ｕ４６）。
【００８０】
次に、読み出したメッセージ内の印刷データの文書ファイル名情報、印刷データの印刷部数通し番号、印刷データを記憶している印刷装置のアドレスにて印刷データ情報テーブルの検索を行い、該当印刷データが存在する場合（Ｕ４７がＹＥＳ）、印刷データ情報テーブルを印刷中へ変更し（Ｕ４８）、記憶装置部（ＨＤＤ）３０から対応する印刷データを順次読み出す（Ｕ４９）。そして、印刷データ取得応答メッセージを生成し、印刷データを付加して、生成した印刷データ取得応答メッセージ要求元へ送信する（Ｕ５０）。
【００８１】
また、印刷データの読み出し処理が終了すると（Ｕ５２がＹＥＳ）、印刷データ取得応答メッセージを生成し（印刷データ無し、後続データ無しをセット）、生成した印刷データ取得応答メッセージを要求元へ送信する（Ｕ５２、Ｕ５３）。
【００８２】
上記処理は、例えば印刷装置３の処理であり、印刷データ取得応答メッセージを受信した、例えば印刷装置４、又は５は取得した印刷データによって印刷処理を行い、印刷処理を実行する（Ｕ４１、Ｕ３８、Ｕ３９）。
【００８３】
また、印刷データ情報テーブルを印刷済みに更新し（Ｕ４２）、印刷データの取得先が他の印刷装置の場合（Ｕ４３がＮО）、印刷データの取得先へ印刷完了メッセージを送信する（Ｕ４４）。
【００８４】
図２６は印刷完了メッセージを受信処理を説明するフローチャートである。印刷完了メッセージを受信すると（Ｕ５４、Ｕ５５）、印刷データ情報テーブルに該当する印刷データがあるか判断し、当該印刷データが存在する場合、印刷済みに変更する（Ｕ５６がＹＥＳ、Ｕ５７）。
【００８５】
以上説明したように、本例によれば印刷を行う文書ファイルの情報をホスト機器２に登録するのではなく、例えば印刷装置４に送信し、印刷装置４において、各ページの画像データを作成し、記憶装置部（ＨＤＤ）３０に記録を行う構成であり、このように構成することによりホスト機器２上で資源の早期解放、及び印刷装置３〜５間での分散印刷を実現することができる。
【００８６】
尚、上記実施例の説明では、ユーザ認証の手段として、ＩＣカードを利用する方法を説明したが、本発明のユーザ認証方法は、これに限らず、ＵＩＤが書き込まれたＩＣタグが搭載される携帯電話などで、ユーザ認証を行う構成であっても良い。
【図面の簡単な説明】
【００８７】
【図１】印刷装置の内部構成を説明する図である。
【図２】本実施形態の印刷システムのシステム構成を説明する図である。
【図３】パーソナルコンピュータ（ＰＣ）の内部構成を示す図である。
【図４】印刷装置の外観構成を説明する図である。
【図５】本例の処理動作を説明するフローチャートである。
【図６】（ａ）は、上記印刷文書登録画面の表示例を示す図であり、  （ｂ）、（ｃ）は、文書ファイル登録の例を示す図である。
【図７】メニュー処理を説明するフローチャートである。
【図８】ＩＣカード受信処理を説明するフローチャートである。
【図９】印刷文書情報テーブルの例を示す図である。
【図１０】ＭＦＰのＩＣカードのデータ受信処理を示すフローチャートである。
【図１１】印刷要求メッセージの構成例を示す図である。
【図１２】印刷要求メッセージの受信処理を説明するフローチャートである。
【図１３】印刷通知メッセージの受信処理を説明するフローチャートである。
【図１４】実施形態２で使用するホスト機器の内部構成を説明する図である。
【図１５】実施形態２の処理動作を説明するフローチャートである。
【図１６】ＩＣカード受信処理を説明するフローチャートである。
【図１７】印刷装置における印刷データの生成処理を説明するフローチャートである。
【図１８】印刷データ情報テーブルファイルの構成を説明する図である。
【図１９】実施形態２の処理動作を説明するフローチャートである。
【図２０】印刷要求メッセージの構成例を示す図である。
【図２１】印刷要求メッセージを受信した場合の処理を説明するフローチャートである。
【図２２】印刷通知メッセージを受信した場合の処理を説明するフローチャートである。
【図２３】印刷データの印刷処理を説明するフローチャートである。
【図２４】印刷データ取得依頼要求の構成例を示す図である。
【図２５】印刷データ取得依頼要求を受信した際の処理を説明するフローチャートである。
【図２６】印刷データの印刷完了通知を受信した際の処理を説明するフローチャートである。
【符号の説明】
【００８８】
１・・・ネットワーク
２・・・ホスト機器
３〜５・・ＭＦＰ
６・・・ＩＣカード
８・・・ＣＰＵ
９・・・ＲＡＭ
１０、４０・・ＲОＭ
１１・・補助記憶装置
１２・・時計回路
１３・・ＩＣカードＲ/Ｗ）Ｉ／Ｆ
１４・・通信Ｉ／Ｆ
１６・・給紙カセット
１７・・排紙部
２０・・スキャナ部
２１・・ＭＦＰ制御部
２２・・プリンタ部
２３・・ＭＦＰメイン部
２４・・読取機構制御部
２５・・表示操作制御部
２６・・ＦＡＸ通信制御部
２７・・ＬＡＮ通信制御部
２８・・ＩＣカードＲ/Ｗインターフェイス
２９・・記憶装置制御部
３０・・記憶装置部（ＨＤＤ）
【図１】
2008040719.tif 000003
【図３】
2008040719.tif 000004
【図５】
2008040719.tif 000005
【図７】
2008040719.tif 000006
【図８】
2008040719.tif 000007
【図９】
2008040719.tif 000008
【図１０】
2008040719.tif 000009
【図１１】
2008040719.tif 000010
【図１２】
2008040719.tif 000011
【図１３】
2008040719.tif 000012
【図１４】
2008040719.tif 000013
【図１５】
2008040719.tif 000014
【図１６】
2008040719.tif 000015
【図１７】
2008040719.tif 000016
【図１８】
2008040719.tif 000017
【図１９】
2008040719.tif 000018
【図２０】
2008040719.tif 000019
【図２１】
2008040719.tif 000020
【図２２】
2008040719.tif 000021
【図２３】
2008040719.tif 000022
【図２４】
2008040719.tif 000023
【図２５】
2008040719.tif 000024
【図２６】
2008040719.tif 000025
【図２】
2008040719.tif 000026
【図４】
2008040719.tif 000027
【図６】
2008040719.tif 000028